(57)【要約】      （修正有）【課題】横桟体の位置やその角度を容易に調整して固定できる展示用パネル等の調整機構を提供する。【解決手段】縦桟体１ａと横桟体１ｂで組設されたパネル本体１、又は、ヒンジ部３で枢着され角度調整手段４を備えた展示用パネルで、相対する縦桟体に摺動用凹溝１ａａを形成し、摺動用凹溝にスライダー２を内装すると共に、スライダーを横桟体の両端に固定し、スライダーを摺動させることにより横桟体の位置を調整し又は２枚のパネル本体の角度を調整し、更には、スライダーには２ｈ球体を内装する球体用貫通孔２ｂを穿設し、球体用貫通孔に係止片２ｃと押さえ片２ｄを突設し、スライダーの下面に球体を突出させて内装したものであり、加えて、球体が嵌入する凹陥部１ａｂを縦桟体に形成した。【選択図】図２
2006023518.tif 000002
【特許請求の範囲】
【請求項１】
縦桟体と横桟体で夫々矩形状に組設された単数又は複数のパネル本体を備えた展示用パネル等であって、前記相対する夫々の縦桟体の向かい合う一辺の長手方向に摺動用凹溝を形成し、該夫々の摺動用凹溝に夫々スライダーを摺動自在に内装すると共に、前記夫々のスライダーを前記横桟体の両端に固定し、前記夫々のスライダーを摺動させることにより前記横桟体の位置を調整することを特徴とする展示用パネル等の調整機構。
【請求項２】
縦桟体と横桟体で夫々矩形状に組設された２枚のパネル本体と、該２枚のパネル本体の上方辺を枢動自在に枢着したヒンジ部と、該ヒンジ部で枢着され２枚のパネル本体の角度を調整維持するための角度調整手段とを備えた展示用パネル等であって、前記展示用パネル等のヒンジ部を介して相対する夫々の縦桟体の向かい合う一辺の長手方向に摺動用凹溝を形成し、該夫々の摺動用凹溝に夫々スライダーを摺動自在に内装すると共に、前記夫々のスライダーを前記角度調整手段の両端に固定し、前記夫々の又は一方のスライダーを摺動させることにより２枚のパネル本体の角度を調整することを特徴とする展示用パネル等の調整機構。
【請求項３】
前記スライダーには球体を内装する球体用貫通孔を穿設し、該球体用貫通孔の内周の対向する位置に前記球体を下方から係止する一対の係止片を突設すると共に、該一対の係止片とクロスする内周の対向する位置に前記球体を上方から弾圧させる一対の押さえ片を突設し、該夫々の押さえ片と夫々の係止片との間にスライダーの下面に球体を突出させて内装したことを特徴とする請求項１又は請求項２に記載の展示用パネル等の調整機構。
【請求項４】
前記球体が挿脱自在に嵌入する単数又は複数の凹陥部を前記縦桟体の摺動用凹溝の底部に形成したことを特徴とする請求項３に記載の展示用パネル等の調整機構。
【発明の詳細な説明】
【技術分野】
【０００１】
本発明は展示用パネル等の位置や角度の調整機構に関するものであり、更に、詳細には、展示場等の展示用パネルの横桟体の位置や、店頭や道路案内等の展示用パネル等の２枚の展示パネルを背中合わせに立てかけた角度を自在に調整して維持できる展示用パネル等の調整機構に関するものである。
【背景技術】
【０００２】
従来、この種の展示用パネル等の横桟体の位置の調整は、パネルそのもの位置を変えることで行っており、横桟体のみを任意の位置で調整するものは無く、又、角度の調整は、２枚の展示用パネルの頂辺を枢動自在に枢動軸で枢着して地面に立て、展示用パネルの下端に重量物を置いて角度を調節していたが、固定されていないため重量物が移動してしまったり邪魔になったりしており、又、風等によって展示用パネルの角度が変化して倒れてしまうことが屡々あるが、夫々傾斜させて背合わせで立てかけた展示パネルの角度を摺動機構を有して維持するものは無かった。
【０００３】
例えば、先に開示されている、パネルの周側縁に嵌着した縁枠を、パネルの側端面に当接させる平板と、断面Ｈ形状で両側板の内側端にパネル嵌合溝を設けると共に縁枠の平板の周側面の所定個所に長孔を開設して構成し、一方係留具は、爪片を一方端に設けた係止金具を挿入させる収容孔を貫設した構成とし、係留具を長孔に嵌挿固定し、係留具の収容孔の後方より下辺に上下方向に弾発付勢して形成したストッパを臨ませて該ストッパを係止金具の下側片に設けた切り込みに嵌入させて係止金具を係留具に係脱自在に係留させて、縁枠より突出する係止金具の爪片を支柱に設けられた係合孔に係止させるもの（特許文献１参照）や、 断面略Ｕ字状のアルミニューム材で形成した略畳大の枠体の片方の長辺に雌フックを、他の長辺に相対する二辺が枠体のＵ字溝の内側に嵌合する巾でその背後両側に切込み溝を形成し、他の相対向する二辺にフィン状の突条を突設した柱状体の片側に雄フックを設けたフックレールを固定するか、又は枠体の両側に雌フックを形成したものの片側に、両側に雄フックを突設したフックレールを嵌合して立設されたパネルと、四角柱の各辺にＵ字溝の内側と同じ寸法を有し、かつその底部にパネルを嵌合するための雌フックに相当する切込みをその対応位置に開設した支柱及びフックレールの切込み溝にその開口端縁が嵌合するようにしたエンド柱よりなる可動壁面であるもの（特許文献２参照）や、周端面に係合孔を設けた方形状のパネルと、中空筒体よりなり周側壁に縦長孔を設けた支柱と、該支柱に前記パネルを取り付ける受止金具とからなり、該受止金具は下縁に差込溝を設けると共に上部外側寄りに上方へ突出する受止片を設けて形成され、該受止金具の差込溝を支柱の縦長孔下端に差し込み嵌着し、支柱の外側に位置する受止片をパネルの周端面に設けた係合孔に係止させるようにしたもの（特許文献３参照）等が開示されている。
【特許文献１】特開平８−２４８８９３号公報
【特許文献２】特開平１１−９３３０３号公報
【特許文献３】特開２０００−１３２１１０号公報
【発明の開示】
【発明が解決しようとする課題】
【０００４】
然し乍ら、先に開示された夫々の展示用パネルは、組立、分解が容易に可能なもので、摺動機構を有しているものであるが、パネル本体の横桟体のみを任意の位置で調整して固定できるものや、一対の展示パネルを背中合わせにして立てかけて、その角度を調整して固定できる摺動機構は有していないものであり、横桟体の位置やその角度を容易に調整して固定できる展示用パネル等の調整機構が切望されている実情である。
【課題を解決するための手段】
【０００５】
本発明の展示用パネル等の角度調整機構は、前述の課題に鑑み、鋭意研鑽の結果、縦桟体と横桟体で矩形状に組設された単数又は複数のパネル本体を備えた展示用パネル等であって、相対する縦桟体の向かい合う一辺の長手方向に摺動用凹溝を形成し、摺動用凹溝にスライダーを摺動自在に内装すると共に、スライダーを横桟体の両端に固定し、スライダーを摺動させることにより横桟体の位置を調整するものであり、更に、縦桟体と横桟体で組設された２枚のパネル本体と、２枚のパネル本体の上方辺を枢着したヒンジ部と、ヒンジ部で枢着され２枚のパネル本体の角度を調整維持するための角度調整手段とを備えた展示用パネル等であって、展示用パネル等のヒンジ部を介して相対する縦桟体の向かい合う一辺の長手方向に摺動用凹溝を形成し、摺動用凹溝にスライダーを摺動自在に内装すると共に、スライダーを角度調整手段の両端に固定し、スライダーを摺動させることにより２枚のパネル本体の角度を調整するものであり、更には、スライダーには球体を内装する球体用貫通孔を穿設し、球体用貫通孔の内周に球体を下方から係止する一対の係止片を突設すると共に、一対の係止片とクロスする位置に球体を上方から弾圧させる一対の押さえ片を突設し、押さえ片と係止片との間にスライダーの下面に球体を突出させて内装したものであり、加えて、球体が嵌入する凹陥部を縦桟体の摺動用凹溝の底部に形成したものである。
【発明の効果】
【０００６】
本発明の展示用パネル等の調整機構は、パネル本体の横桟体の位置の調整や２枚のパネル本体の角度の調整を自在に変更できるものであり、相対する縦桟体の長手方向の一辺に摺動用凹溝を形成し、該摺動用凹溝に摺動自在のスライダーを内装させ、該スライダーに横桟体又は角度調整手段の両端に固定し、スライダーを上下に摺動させることで横桟体の位置や枢着された２枚の展示用パネル等の角度の調整ができ、更に、スライダーの下面に突出する球体を内装させたことから、スライダーの材料特性の弾性により絶えず球体を摺動用凹溝の底部に押し付けており、適宜な抵抗を負荷させるもので、更には、摺動用凹溝の底部に凹陥部を形成したことによりスライダーから突出させた球体が嵌入し、任意の凹陥部の位置で停止させて横桟体の位置や２枚の展示用パネルの傾斜角度をしっかりと係止できるもので、簡易な構造でデザイン的にも優れたものであり、画期的で極めて実用性の高い発明である。
【発明を実施するための最良の形態】
【０００７】
本発明は展示用パネル等の位置や角度の調整機構に関するものであり、更に、詳細には、展示場等の展示用パネルの横桟体の位置や、店頭や道路案内等の展示用パネル等の２枚の展示パネルを背中合わせに立てかけた角度を自在に調整して維持できる展示用パネル等の調整機構に関するものであり、請求項１に記載の展示用パネル等の調整機構は、縦桟体１ａと横桟体１ｂで夫々矩形状に組設された単数又は複数のパネル本体１を備えた展示用パネル等であって、前記相対する夫々の縦桟体１ａの向かい合う一辺の長手方向に摺動用凹溝１ａａを形成し、該夫々の摺動用凹溝１ａａに夫々スライダー２を摺動自在に内装すると共に、前記夫々のスライダー２を前記横桟体１ｂの両端に固定し、前記夫々のスライダー２を摺動させることにより前記横桟体１ｂの位置を調整するものである。
【０００８】
更に、請求項２に記載の展示用パネル等の調整機構は、縦桟体１ａと横桟体１ｂで夫々矩形状に組設された２枚のパネル本体１と、該２枚のパネル本体１の上方辺を枢動自在に枢着したヒンジ部３と、該ヒンジ部３で枢着され２枚のパネル本体１の角度を調整維持するための角度調整手段４とを備えた展示用パネル等であって、前記展示用パネル等のヒンジ部３を介して相対する夫々の縦桟体１ａの向かい合う一辺の長手方向に摺動用凹溝１ａａを形成し、該夫々の摺動用凹溝１ａａに夫々スライダー２を摺動自在に内装すると共に、前記夫々のスライダー２を前記角度調整手段４の両端に固定し、前記夫々の又は一方のスライダー２を摺動させることにより２枚のパネル本体１の角度を調整するものである。
【０００９】
更には、請求項３に記載の展示用パネル等の調整機構は、請求項１又は請求項２に記載の展示用パネル等の調整機構において、前記スライダー２には球体２ｈを内装する球体用貫通孔２ｂを穿設し、該球体用貫通孔２ｂの内周の対向する位置に前記球体２ｈを下方から係止する一対の係止片２ｃを突設すると共に、該一対の係止片２ｃとクロスする内周の対向する位置に前記球体２ｈを上方から弾圧させる一対の押さえ片２ｄを突設し、該夫々の押さえ片２ｄと夫々の係止片２ｃとの間にスライダー２の下面に球体２ｈを突出させて内装したものである。
【００１０】
加えて、請求項４に記載の展示用パネル等の角度調整機構は、請求項３に記載の展示用パネル等の角度調整機構において、前記球体２ｈが挿脱自在に嵌入する単数又は複数の凹陥部１ａｂを前記支持部材の摺動用凹溝１ａａの底部に形成したものである。
【実施例】
【００１１】
以下、本発明の展示用パネル等の調整機構の実施例の図面を用いて詳細に説明すると、図１は本発明の展示用パネル等の調整機構の実施例１の概要を説明するための概要正面図であり、図２は本発明の展示用パネル等の調整機構の実施例２の概要を説明するための概要側面図であり、図３は本発明の展示用パネル等の調整機構の実施例の要部断面図であり、図４は本発明の展示用パネル等の調整機構の実施例のスライダーの縦断面図であり、図５は本発明の展示用パネル等の調整機構の実施例のスライダーの平面図であり、図６は本発明の展示用パネル等の調整機構の次実施例の要部断面図である。
【００１２】
即ち、本発明の展示用パネル等の調整機構の実施例１のパネル本体１は、外辺を縦桟体１ａと横桟体１ｂで矩形状に組設されたもので、夫々のパネル本体１の左右の両側に縦桟体１ａを平行に配設し、該夫々の縦桟体１ａの上方と下方とを夫々横桟体１ｂで接続して矩形状にしたもので、更に、中程に横桟体１ｂを加えて複数の枠体を作り、該枢動可能な枠体により夫々横方向から又は前方向から展示物を挿脱できる額縁等を多段に装着しても構わないものである。
【００１３】
そして、縦桟体１ａはパネル本体１に縦方向の両側に配設した中空棒状のもので、アルミニウム等の金属か、硬質合成樹脂等で形成するもので、図３に図示する如く、長手方向の一辺に略コ字状の摺動用凹溝１ａａを形成しているものであり、摺動用凹溝１ａａには後述するスライダー２を内装すると共に、中空部には縦桟体１ａの両端部に嵌着する脚キャップやヒンジ、展設具等の付属パーツが容易に且つしっかりと固定されるように断面略Ｃ字状の２つの接続用溝１ａｃを夫々長手方向の全長にわたって形成しているもので、基端には床面に載置するための下端にキャスターを設けた脚キャップを接続用溝１ａｃを利して嵌着させても良く、その手段は特に限定しないものである。
【００１４】
更に、本発明の展示用パネル等の調整機構の実施例２
、先端には後述するヒンジ部３を枢動可能に接続する接続具を嵌着させているものであるが、
更に、スライダー２は実施例では合成樹脂で形成したものであり、図３乃至図５に図示する如く、略平板状のもので両側には後述する縦桟体１ａの摺動用凹溝１ａａの案内片１ａｄと合致する段部２ｅを形成すると共に、スライダーカバー２ｆと固定する固定部２ａを形成しているもので、縦枠体の長手方向に形成した摺動用凹溝１ａａを自在に摺動するものである。
【００１５】
次いで、スライダーカバー２ｆは図３に図示する如く、横断面コ字状のものであり、側面にはカバー固定軸２ｇを設け横桟体１ｂの両端を夫々固定したもので、横桟体１ｂを移動させることによりスライダー２が枢動して任意の位置で停止させることがでるものである。
【００１６】
次に、本発明の展示用パネル等の調整機構の実施例２の２枚のパネル本体１は、実施例１のパネル本体１でも一般のものでも良く、２枚のパネル本体１の頂辺をヒンジ部３で枢動自在に接続したもので、下方には角度調整手段４を設けたものである。
【００１７】
次に、ヒンジ部３は枢動軸を有して２枚のパネル本体１の頂辺を枢動自在に枢着している周知のもので、２枚のパネル本体１の頂辺をくっつけて傾斜させ、頂辺をヒンジ部３で接続し、２枚のパネル本体１を背中合わせにして夫々のパネル本体１に張着した展示物を両側から目視できるものである。
【００１８】
更には、角度調整手段４は各種考慮され実施例２に限定するものではないが、角度調整手段４の両端にスライダー２を固定しているもので、実施例２では、２組一対の夫々の角度調整杆は長杆４ａと短杆４ｂとを略へ字状に中間枢動軸４ｃで枢着させたものであり、頂辺をヒンジ部３で枢着されて角度を有して背中合わせの２枚のパネル本体１の角度を調整及び維持するためのものである。
【００１９】
更には、夫々の摺動用凹溝１ａａは２枚のパネル本体１のヒンジ部３を介し角度を有して相対する夫々の縦桟体１ａの向かい合う一辺の長手方向に形成しているもので、夫々のスライダー２を摺動自在に内装させるものである。
【００２０】
そして、角度調整杆枢動軸４ｄはパネル本体１のヒンジ部３を介して相対する左右２つの縦桟体１ａに設ける２組一対の角度調整杆４の長杆４ａと短杆４ｂとを接続するもので、一対の角度調整杆４の短杆４ｂと略へ字状に接続させた長杆４ａを対称的にクロスさせて枢着させるものであり、角度調整杆枢動軸４ｄにより枢動することにより一対の角度調整杆４の両端の距離を変化させるものである。
【００２１】
更に、案内片１ａｄは縦桟体１ａの摺動用凹溝１ａａの長手方向の両側辺に夫々内方向に突出させて形成したものであり、スライダー２の摺動を案内すると共にスライダー２の抜落を防止するものである。
【００２２】
更には、固定部２ａはスライダーカバー２ｆとスライダー２とを固定させるもので、実施例ではボルト挿通孔を穿設してボルトによってスライダーカバー２ｆとスライダー２とを固定しても、接着できる固定部２ａとして溶着又は接着等の手段で固定しても構わないものである。
【００２３】
そして、球体用貫通孔２ｂは、図３乃至図５に図示する如く、スライダー２の上下方向を矩形状に貫通させて穿設しているもので、球体用貫通孔２ｂの内周の巾方向の対向する位置には後述する球体２ｈを下方から係止する一対の係止片２ｃを突設しており、更に、球体用貫通孔２ｂの夫々の係止片２ｃとクロスする、つまり、長手方向の内周の対向する位置に球体２ｈを上方から弾圧する一対の押さえ片２ｄを突設しているものである。
【００２４】
更に、球体２ｈは金属製のもので一対の係止片２ｃと一対の押さえ片２ｄとの間に内装させるもので、スライダー２の材料特性の弾性によって夫々の押さえ片２ｄが球体２ｈを上方から弾圧しており、夫々の係止片２ｃは下方から球体２ｈを抜落させないように係止させているものであるが、球体２ｈの下方はスライダー２の下面に突出するようにしているものである。
【００２５】
つまり、球体２ｈをスライダー２の下面に突出するように夫々の押さえ片２ｄで弾圧させたことによって、縦桟体１ａの摺動用凹溝１ａａを摺動するスライダー２に抵抗を付与して任意の位置で自在に停止できるものである。
【００２６】
更には、凹陥部１ａｂは縦桟体１ａの摺動用凹溝１ａａの底部に単数又は複数を形成しているもので、椀状に窪むものでも球体２ｈの径より稍小さい径をした円孔でも構わないもので、つまり、スライダー２の夫々の押さえ片２ｄで弾圧された球体２ｈが挿脱自在に嵌入するものであり、球体２ｈを凹陥部１ａｂに嵌入することでよりスライダー２の停止を一層確実にするものである。
【００２７】
本発明の展示用パネル等の調整機構は前述の構成から、縦桟体１ａと横桟体１ｂで夫々矩形状に組設されたパネル本体１を備えた展示用パネル等であって、相対する縦桟体１ａの向かい合う一辺の長手方向に摺動用凹溝１ａａを形成し、又は、床面に背中合わせで載置する２枚のパネル本体１のヒンジ部３を介して相対する左右の縦桟体１ａの長手方向の一辺に摺動用凹溝１ａａを形成し、該摺動用凹溝１ａａに摺動自在のスライダー２を内装させ、該スライダー２にスライダーカバー２ｆを固定し、スライダーカバー２ｆと横桟体１ｂの両端、又は、一対の角度調整杆４の夫々の先端とをカバー固定軸２ｇで固定して、スライダー２を上下に摺動させることで横桟体１ｂの位置を調整、又は、２組一対の角度調整杆４が枢着された２枚のパネル本体１の角度を自在に変更できるものであり、更には、スライダー２の下面に突出する球体２ｈを内装させたことから、スライダー２の材料特性の弾性により絶えず球体２ｈを摺動用凹溝１ａａの底部に押し付けており、適宜な抵抗を負荷させるもので、更には、摺動用凹溝１ａａの底部に凹陥部１ａｂを形成したことによりスライダー２から突出させた球体２ｈが嵌入し、任意の凹陥部１ａｂの位置で停止させてしっかりと係止できるもので、簡易な構造でデザイン的にも優れたものであり、画期的で極めて実用性の高い発明である。
【産業上の利用可能性】
【００２８】
本発明の展示用パネル等の調整機構は、取扱いが簡単で自在に横桟体野市や２枚の展示パネルの角度が調整でき、外観もスマートなデザインを創作することができる展示用パネルを提供するものである。
【図面の簡単な説明】
【００２９】
【図１】図１は本発明の展示用パネル等の角度調整機構の実施例１の概要を説明するための概要正面図である。
【図２】図２は本発明の展示用パネル等の角度調整機構の実施例２の概要を説明するための概要側面図である。
【図３】図３は本発明の展示用パネル等の調整機構の実施例の要部断面図である。
【図４】図４は本発明の展示用パネル等の調整機構の実施例のスライダーの縦断面図である。
【図５】図５は本発明の展示用パネル等の調整機構の実施例のスライダーの平面図である。
【図６】図６は本発明の展示用パネル等の調整機構の実施例の要部断面図である。
【符号の説明】
【００３０】
１      パネル本体
１ａ    縦桟体
１ａａ  摺動用凹溝  
１ａｂ  凹陥部
１ａｃ  接続用溝
１ａｄ  案内片
１ｂ    横桟体
２      スライダー
２ａ    固定部
２ｂ    球体用貫通孔
２ｃ    係止片
２ｄ    押さえ片
２ｅ    段部
２ｆ    スライダーカバー
２ｇ    カバー固定軸
２ｈ    球体
３      ヒンジ部
４      角度調整手段
４ａ    長杆
４ｂ    短杆
４ｃ    中間枢動軸
４ｄ    角度調整杆枢動軸
【図１】
2006023518.tif 000003
【図２】
2006023518.tif 000004
【図３】
2006023518.tif 000005
【図４】
2006023518.tif 000006
【図５】
2006023518.tif 000007
【図６】
2006023518.tif 000008